【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
対象者の関心領域に向けて信号を送信する、及び、前記関心領域から信号を受信する複数の開口を備える超音波トランスデューサー組立体と、
前記対象者内に位置され、前記関心領域内を動く追跡センサーであって、前記開口により送信された前記信号に応答する、追跡センサーと、
前記超音波トランスデューサー組立体及び前記追跡センサーと通信する少なくとも１つのプロセッサと、
を備え、
前記プロセッサが、
少なくとも１つの活性化している開口から受信された前記信号から前記関心領域の第１の部分の第１の像を生成することと、
前記少なくとも１つの活性化している開口により送信された少なくとも１つの前記信号に応答して生成された前記追跡センサーからの追跡データを使用して前記追跡センサーの位置を識別することと、
識別された前記位置に基づいて活性化された少なくとも１つの他の開口から受信された前記信号から前記関心領域の第２の部分の第２の像を生成することであって、前記関心領域の前記第２の部分が、前記関心領域の前記第１の部分と異なる、第２の像を生成することと、
を行う、
超音波像形成システム。
【請求項２】
前記関心領域の前記第１の部分と前記第２の部分とが、重なるか、又は、重ならない、
請求項１に記載の超音波像形成システム。
【請求項３】
前記少なくとも１つのプロセッサ及び前記超音波トランスデューサー組立体と通信するマルチプレクサーをさらに備え、前記マルチプレクサーが、前記追跡センサーの識別された前記位置に基づいて前記開口を選択的に制御する、
請求項１に記載の超音波像形成システム。
【請求項４】
前記マルチプレクサーが、前記関心領域に向けて前記信号を送信するように、前記少なくとも１つの開口を、識別された前記位置に応答して活性化するように、及び、前記関心領域に向けて前記信号を送信しないように、前記少なくとも１つの開口を、識別された前記位置に応答して不活性化する、
請求項３に記載の超音波像形成システム。
【請求項５】
前記マルチプレクサーが、任意の所与の時点において単一の前記開口のみを像形成装置に通信可能に結合し、前記マルチプレクサーは、前記追跡センサーが前記現在活性化している開口の視野の境界に接近していること、又は、前記現在活性化している開口の前記視野を出ていることの指標の受信に応答して、前記現在活性化している開口に隣接した開口を通信可能に結合する、及び、前記現在活性化している開口を結合解除する、
請求項３に記載の超音波像形成システム。
【請求項６】
前記マルチプレクサーは、前記追跡センサーが現在活性化している開口の視野の境界に接近していること、又は、前記現在活性化している開口の前記視野を出ていることの指標の受信に応答して、前記現在活性化している開口の第１の側に隣接した開口に関係した入力信号を入力する、
請求項３に記載の超音波像形成システム。
【請求項７】
前記マルチプレクサーは、前記指標の受信に応答して、前記現在活性化している開口の前記第１の側の反対側の第２の側に隣接した開口に関係した前記入力信号を入力解除する、
請求項６に記載の超音波像形成システム。
【請求項８】
前記追跡センサーは超音波受信器を備え、前記少なくとも１つのプロセッサが、前記活性化している開口に対する前記超音波受信器の場所を特定する、
請求項１に記載の超音波像形成システム。
【請求項９】
前記超音波トランスデューサー組立体は、複数の独立して制御可能な前記開口の各々の視野が血管の一部を含むように前記複数の独立して制御可能な開口を位置させるために、前記複数の独立して制御可能な開口の各々が互いに対して動かされることを可能にするフレームを備える、
請求項１に記載の超音波像形成システム。
【請求項１０】
前記超音波トランスデューサー組立体の組み合わされた前記視野が、１０ｃｍ以上の長さをもつ、
請求項９に記載の超音波像形成システム。
【請求項１１】
前記超音波トランスデューサー組立体の組み合わされた前記視野が、３０ｃｍ以上の長さをもつ、
請求項１０に記載の超音波像形成システム。
【請求項１２】
前記超音波トランスデューサー組立体は、複数のパッチを含むマルチパッチアレイを備え、前記フレームは、前記複数のパッチの各々が互いに対して滑動することを可能にする、
請求項９に記載の超音波像形成システム。
【請求項１３】
前記超音波トランスデューサー組立体は複数の超音波プローブを備え、前記複数の超音波プローブの各々のアレイが、複数の独立して制御可能な前記開口のうちのそれぞれの開口を提供する、
請求項１に記載の超音波像形成システム。
【請求項１４】
２つの隣接した前記開口のそれぞれの超音波プローブのアレイが、ギャップにより離隔されており、前記ギャップに関係した前記対象者の中間領域を像形成するように、それぞれの前記アレイのビームを操縦する送信制御装置を備える、
請求項１に記載の超音波像形成システム。
【請求項１５】
前記少なくとも１つのプロセッサは、像セグメント分け、エッジ検出、造影、又はそれらの組み合わせを実施し、前記開口の活性化は、前記像セグメント分け、前記エッジ検出、前記造影、又はそれらの前記組み合わせに、部分的にさらに基づく、
請求項１に記載の超音波像形成システム。
【請求項１６】
超音波トランスデューサー組立体を使用して、血管を含む関心領域に向けて超音波を送信するステップであって、前記超音波トランスデューサー組立体が、複数の独立して制御可能な開口を備え、前記送信するステップが、前記複数の独立して制御可能な開口のうちの少なくとも１つを使用して超音波を送信するステップを有する、送信するステップと、
前記複数の独立して制御可能な開口のうちの少なくとも１つを使用してエコーを受信するステップと、
前記血管内の介入型ツールに位置する追跡センサーからの追跡情報を、前記超音波トランスデューサー組立体に動作可能に関係した少なくとも１つのプロセッサにより受信するステップと、
前記追跡情報に少なくとも部分的に基づいて、前記複数の独立して制御可能な開口のうちの別の開口を活性化するステップと、
前記エコーに応答して、前記血管を含む前記関心領域の超音波像を生成及び表示するステップと、
を有する、介入処置中の超音波像形成方法。
【請求項１７】
前記複数の独立して制御可能な開口の各々が、互いに対して可動であり、前記超音波像形成方法は、前記複数の独立して制御可能な開口の各々の視野が前記血管の一部を含むように、前記複数の独立して制御可能な開口のうちの個々の開口の位置を調節するステップをさらに有する、
請求項１６に記載の超音波像形成方法。
【請求項１８】
前記超音波トランスデューサー組立体が、複数の超音波プローブを備え、前記超音波トランスデューサー組立体を位置させるステップが、前記複数の超音波プローブのうちの１つ又は複数の超音波プローブのそれぞれのアレイが前記血管の少なくとも一部を像形成するように配置されるように、前記複数の超音波プローブのうちの前記１つ又は複数の超音波プローブを動かすステップを有する、
請求項１６に記載の超音波像形成方法。
【請求項１９】
前記超音波トランスデューサー組立体が、マルチパッチトランスデューサーアレイを備え、前記超音波トランスデューサー組立体を位置させるステップが、前記マルチパッチトランスデューサーアレイの他のパッチに対して前記マルチパッチトランスデューサーアレイの１つ又は複数のパッチを動かすステップを有する、
請求項１６に記載の超音波像形成方法。
【請求項２０】
前記複数の独立して制御可能な開口のうちの別の開口を活性化するステップが、
前記複数の独立して制御可能な開口の各々を前記少なくとも１つのプロセッサに接続するマルチプレクサーにより前記追跡情報を受信するステップと、前記追跡情報に基づいて、前記複数の独立して制御可能な開口のうちの別の開口を前記少なくとも１つのプロセッサに通信可能に結合するステップとを有する、
請求項１６に記載の超音波像形成方法。
【請求項２１】
前記複数の独立して制御可能な開口のうちの前記別の開口が活性化されたとき、前記マルチプレクサーにより、現在活性化している前記開口を前記少なくとも１つのプロセッサから結合解除するステップをさらに有する、
請求項２０に記載の超音波像形成方法。
【請求項２２】
前記活性化するステップが、前記１つ又は複数の現在活性化している開口の一方の側に隣接した開口を活性化するステップと、前記１つ又は複数の現在活性化している開口の反対側に隣接した開口を不活性化するステップとを有する、
請求項２０に記載の超音波像形成方法。
【請求項２３】
それぞれの前記開口が前記血管の一部を含む、当該開口の各々に対する対象位置を特定するために、前記血管を通して前記介入型ツールを進行させる前に前記血管を像形成するステップをさらに有し、前記対象位置は、前記血管を通した前記介入型ツールの進行中に維持される、
請求項１６に記載の超音波像形成方法。
【請求項２４】
実行されたときに医療像形成システムのプロセッサが請求項１６から請求項２３のいずれか一項に記載の超音波像形成方法を実施する、実行可能命令を含む、非一時的なコンピュータ可読媒体。
【請求項２５】
複数の独立して制御可能な開口を備える超音波トランスデューサー組立体であって、前記独立して制御可能な前記開口の各々が、約１０ｃｍ以上の長さをもつ関心領域に信号を送信し、前記関心領域から信号を受信する超音波トランスデューサー組立体と、
前記複数の独立して制御可能な開口の各々に結合され、受信された前記信号に基づいて超音波像を生成する超音波像形成装置と、
追跡システムに動作可能に関係し、介入処置中に介入型ツールに位置する追跡センサーと、
前記独立して制御可能な開口の各々を前記超音波像形成装置に接続するマルチプレクサーであって、前記マルチプレクサーが、前記追跡システムから受信された追跡情報に基づいて、前記複数の独立して制御可能な開口のうちの１つ又は複数を前記超音波像形成装置に通信可能に結合するマルチプレクサーと、
を備える、超音波像形成システム。
【請求項２６】
前記関心領域が、最大約５０ｃｍの長さをもつ、
請求項２５に記載の超音波像形成システム。